(57)【要約】    【課題】  上下逆さまに置いてテープカセット等を交換する際に文字入力キー等が押下されるのを確実に防止することができるテープ印字装置を提供する。    【解決手段】  本体フレーム２の背面部には、左右方向全幅に渡ってキーボード４の配置される上面よりも所定高さ上方に延出される第１壁部２２が設けられている。また、本体フレーム２の各側面部には、第１壁部２２の左右側端縁部から該各側面部の前後方向全幅に渡って上端部が前側方向にいくに従って低くなるように所定高さ上方に延出される各第２壁部２６が設けられている。また、本体フレーム２の前面部には、左右方向全幅に渡ってキーボード４の配置される上面よりも各第２壁部２６の前端縁部と同じ高さまで上方に延出される第３壁部３０が設けられている。また、第１壁部２２、各第２壁部２６及び第３壁部３０の上端部は、同一平面上で連なるように形成されている。【選択図】  図１
2006088449.tif 000002
【特許請求の範囲】
【請求項１】
装置本体の上側表面部の水平視上方に配置される表示手段と、
前記上側表面部の前記表示手段よりも水平視下側に配置されて複数の文字入力キーを有する印字データ入力手段と、
前記印字データ入力手段に対向する装置本体底面部側に開口してテープカセットが収納されるカセット収納部と、
前記カセット収納部の開口部を閉塞する着脱可能な蓋部材と、を備えたテープ印字装置において、
前記上側表面部の水平視上側側端縁部の全幅に渡って上方に所定高さ延出される第１壁部と、
前記第１壁部の左右両端縁部から該上側表面部の左右両側端縁部の全長に渡って上端部が水平視下側方向に行くに従って低くなるように上方に延出される一対の第２壁部と、
を備え、
前記第１壁部の上端部と各第２壁部の上端部とは、同一平面で連なるように形成されると共に、該各第２壁部の水平視下端部の高さは、水平視における前記文字入力キーの高さよりも高くなるように形成されていることを特徴とするテープ印字装置。
【請求項２】
前記第１壁部の前記文字入力キー側の第１内側壁面部は、該文字入力キー側に向かって下方に傾斜するように形成され、
前記表示手段は、前記第１内側壁面部に配置されていることを特徴とする請求項１に記載のテープ印字装置。
【請求項３】
前記各第２壁部の前記文字入力キー側の第２内側壁面部は、該文字入力キー側に向かって下方に傾斜するように形成されていることを特徴とする請求項１又は請求項２に記載のテープ印字装置。
【請求項４】
前記上側表面部の水平視下側側端縁部の全幅に渡って前記各第２壁部の水平視下端部の高さと等しい高さになるように上方に延出される第３壁部を備えたことを特徴とする請求項１乃至請求項３のいずれかに記載のテープ印字装置。
【請求項５】
前記第３壁部の前記文字入力キー側の第３内側壁面部は、該文字入力キー側に向かって下方に傾斜するように形成されていることを特徴とする請求項４の記載のテープ印字装置。
【発明の詳細な説明】
【技術分野】
【０００１】
本発明は、装置本体の上側表面部に表示手段と文字入力キーが配置され、装置本体底面部にカセット収納部を閉塞する着脱可能な蓋部材が設けられたテープ印字装置に関するものである。
【背景技術】
【０００２】
従来より、装置本体の上側表面部に表示手段と文字入力キーが配置されたテープ印字装置に関して種々提案されている。
例えば、テープ印字装置の本体フレームの前部にはキーボードが配設され、またキーボードの後側で上方に湾曲した湾曲フレーム部には、文字や記号を６文字分表示可能な小型の液晶ディスプレイが設けられている。また、このキーボード３には、アルファベットやひらがなや数字や記号などを入力する為の文字キー、スペースキー、ディスプレイに表示された文字列を右方或いは左方へスクロールさせるカーソルキー、電源をＯＮ・ＯＦＦする為の電源キーなどが設けられている。また、キーボードの前端部で且つ左右両端部の本体フレーム上面には、側面視略半円形で薄肉状の突起部が夫々設けられている。しかも、これら一対の突起部の高さは、側面視におけるキーの高さより高くなるように構成したものがある（例えば、特許文献１参照。）。
そして、このような構成により、テープ印字装置の裏側カバーを外してテープカセットを交換する為に、電源を投入した状態で、テープ印字装置を上下逆さまにして机に載置したとき、テープ印字装置は一対の突起部と湾曲フレーム部とで支持されるので、キーボードの各キーが机の上面に直接触れることがなく、キーが誤って入力されることを確実に防止することができる。また、電源がオフの状態でキーボード側の面を下に向けて机の上面に載置したとき、誤って電源キーが押されて電源オン状態になり電池が無用に消耗されることを確実に防止できる。
【特許文献１】特開平５−３２４６０４号公報（段落（００１４）〜（００１７）、図３〜図５）
【発明の開示】
【発明が解決しようとする課題】
【０００３】
しかしながら、上述した従来の構成を用いたテープ印字装置においては、テープ印字装置が薄型化・小型化された場合には、テープ印字装置の上下面を持って持ち上げる必要があり、持ち上げる際に文字入力キー等を押さえてしまい、不用な文字入力や電源キーを押下する虞があるという問題がある。また、キーボードの前端部で且つ左右両端部の本体フレーム上面に側面視略半円形で薄肉状の突起部を設けた場合には、操作性やデザイン面からテープ印字装置の薄型化・小型化に伴い該突起部の高さを低くせざるを得ず、机の上に薄いゴムマット等が敷かれている場合には、テープカセットの交換等のために上下逆さまにして置くと、突起部が該ゴムマット等に沈み込んでしまい、文字入力キーや電源キー等が押下される虞があるという問題がある。
【０００４】
そこで、本発明は、上述した問題点を解決するためになされたものであり、テープ印字装置が薄型化・小型化された場合にも、文字入力キー等を押さえることなく容易に持ち上げることができると共に、上下逆さまに置いてテープカセット等を交換する際に文字入力キー等が押下されるのを確実に防止することができるテープ印字装置を提供することを目的とする。
【課題を解決するための手段】
【０００５】
前記目的を達成するため請求項１に係るテープ印字装置は、装置本体の上側表面部の水平視上方に配置される表示手段と、前記上側表面部の前記表示手段よりも水平視下側に配置されて複数の文字入力キーを有する印字データ入力手段と、前記印字データ入力手段に対向する装置本体底面部側に開口してテープカセットが収納されるカセット収納部と、前記カセット収納部の開口部を閉塞する着脱可能な蓋部材と、を備えたテープ印字装置において、前記上側表面部の水平視上側側端縁部の全幅に渡って上方に所定高さ延出される第１壁部と、前記第１壁部の左右両端縁部から該上側表面部の左右両側端縁部の全長に渡って上端部が水平視下側方向に行くに従って低くなるように上方に延出される一対の第２壁部と、を備え、前記第１壁部の上端部と各第２壁部の上端部とは、同一平面で連なるように形成されると共に、該各第２壁部の水平視下端部の高さは、水平視における前記文字入力キーの高さよりも高くなるように形成されていることを特徴とする。
【０００６】
また、請求項２に係るテープ印字装置は、請求項１に記載のテープ印字装置において、前記第１壁部の前記文字入力キー側の第１内側壁面部は、該文字入力キー側に向かって下方に傾斜するように形成され、前記表示手段は、前記第１内側壁面部に配置されていることを特徴とする。
【０００７】
また、請求項３に係るテープ印字装置は、請求項１又は請求項２に記載のテープ印字装置において、前記各第２壁部の前記文字入力キー側の第２内側壁面部は、該文字入力キー側に向かって下方に傾斜するように形成されていることを特徴とする。
【０００８】
また、請求項４に係るテープ印字装置は、請求項１乃至請求項３のいずれかに記載のテープ印字装置において、前記上側表面部の水平視下側側端縁部の全幅に渡って前記各第２壁部の水平視下端部の高さと等しい高さになるように上方に延出される第３壁部を備えたことを特徴とする。
【０００９】
更に、請求項５に係るテープ印字装置は、請求項４に記載のテープ印字装置において、前記第３壁部の前記文字入力キー側の第３内側壁面部は、該文字入力キー側に向かって下方に傾斜するように形成されていることを特徴とする。
【発明の効果】
【００１０】
請求項１に係るテープ印字装置では、装置本体の上側表面部の水平視上側側端縁部の全幅に渡って上方に所定高さ延出される第１壁部と、この第１壁部の左右両端縁部から該上側表面部の左右両側端縁部の全長に渡って上端部が水平視下側方向に行くに従って低くなるように上方に延出される一対の第２壁部とが設けられている。また、この第１壁部の上端部と各第２壁部の上端部とは、同一平面で連なるように形成されると共に、該各第２壁部の水平視下端部の高さは、水平視における前記文字入力キーの高さよりも高くなるように形成されている。
これにより、テープ印字装置を持ち上げる場合には、第１壁部又は第２壁部の上部と装置本体の底面部とを持って持ち上げることができ、文字入力キー等を押さえることなく容易に持ち上げることができる。また、装置本体を文字入力キー等が配置された上側表面部が下側向きになるように上下逆さまにして設置面に置いた場合には、第１壁部及び各第２壁部の上端部が一様に設置面に当接するため、装置本体底面部側に設けられるカセット収納部の蓋部材を安定して外すことができると共に、文字入力キー等が該設置面によって押下されるの確実に防止することができる。また、各第２壁部は、上端部が水平視下側方向に行くに従って低くなるように上方に延出されて、水平視下端部の高さは、水平視における文字入力キーの高さよりも高くなるように形成されているため、第２壁部の手元側の高さは低くなり、印字データ等の入力時の作業性の低下を防止できる。
【００１１】
また、請求項２に係るテープ印字装置では、表示手段は、第１壁部の文字入力キー側に向かって下方に傾斜するように形成される第１内側壁面部に配置されているため、印字データなどを入力する場合に、表示手段に表示される文字、記号等を容易に視認でき、作業性の向上を図ることができる。更に、装置本体を表示手段や文字入力キー等が配置された上側表面部が下側向きになるように上下逆さまにして設置面に置いた場合には、この表示手段が設置面と接触しないため、表示手段が設置面に接触して傷つくことを防止することができる。
【００１２】
また、請求項３に係るテープ印字装置では、各第２壁部の文字入力キー側の第２内側壁面部は、該文字入力キー側に向かって下方に傾斜するように形成されているため、この第２内側壁面部と装置本体底面部とに指を掛けて容易に持ち上げることができ、更なる操作性の向上を図ることができる。
【００１３】
また、請求項４に係るテープ印字装置では、上側表面部の水平視下側側端縁部の全幅に渡って各第２壁部の水平視下端部の高さと等しい高さになるように上方に延出される第３壁部が設けられているため、文字入力キー等の操作時にこの第３壁部に手元を載せることができ、操作性の向上を図ることができる。また、この第３壁部を設けることによって、該第３壁部の基端部近傍まで文字入力キー等を配置しても、装置本体を文字入力キー等が配置された上側表面部が下側向きになるように上下逆さまにして設置面に置いた際に、この文字入力キーが押下されるのを確実に防止でき、テープ印字装置の更なる薄型化・小型化を図ることができる。
【００１４】
更に、請求項５に係るテープ印字装置では、第３壁部の文字入力キー側の第３内側壁面部は、該文字入力キー側に向かって下方に傾斜するように形成されているため、この第３内側壁面部と装置本体底面部とに指を掛けて容易に持ち上げることができ、更なる操作性の向上を図ることができる。
【発明を実施するための最良の形態】
【００１５】
以下、本発明に係るテープ印字装置について、具体化した一実施例に基づいて図面を参照しつつ詳細に説明する。
【実施例１】
【００１６】
先ず、本実施例に係るテープ印字装置の概略構成について図１乃至図５に基づき説明する。
図１乃至図５に示すように、本実施例に係るテープ印字装置１は、その合成樹脂製の本体フレーム２上面に文書データからなるテキストを作成するための文字入力キー５、テキスト等の印字を指令する印字キー、及び、改行指令や各種処理の実行、選択を指令するリターンキー、文字等のキャラクタを複数行に渡って表示する液晶ディスプレイ（ＬＣＤ）３上でカーソルを上下、左右に移動させるカーソルキー等を設けたキーボード４を有している。
また、本体フレーム２の底面部２Ａには、テープカセット７を着脱自在に収納するカセット収納部８と、電池１１を着脱自在に収納する電池収納部１２とが配設され、それぞれカセット収納カバー９、電池収納カバー１３によって覆われている。また、本体フレーム２の左側面部（図３中、左側面部）には、電源アダプタが取り付けられるアダプタ挿入口１５が設けられている。また、テープ印字装置１の内部には、不図示のテープ駆動印刷機構及びテープを切断するためのカッターが設けられており、テープカセット７から引き出されて印刷された感熱テープ１７が背面部に設けられる排出口１８から排出されて、カッターで切断可能に構成されている。
【００１７】
また、カセット収納部８には、プラテンローラ１９、サーマルヘッド２０等が配設され、このプラテンローラ１９によりテープカセット７に収納される感熱テープ１７の一部がサーマルヘッド２０に押し付けられる位置まで、プラテンローラ１９はサーマルヘッド２０側に回動させられて固定される。そして、不図示の駆動モータ及びギヤ列によりプラテンローラ１９が回転駆動され、サーマルヘッド２０を介して印字された感熱テープ１７が搬送される。尚、テープカセット７に収納される感熱テープ１７は、サーマルヘッド２０の発熱作用により発色するように構成されているため、感熱式インクリボンを介してテープに印字する場合よりも、サーマルヘッド２０の各発熱素子の必要な発熱エネルギーを低く抑えることができ、該サーマルヘッド２０の発熱温度を低くすることができる。また、感熱テープ１７は、裏面に予め粘着剤が塗布され、この粘着剤層に離型テープを仮接着したものであってもよい。
【００１８】
また、本体フレーム２の背面部には、左右方向（図４中、左右方向）全幅に渡ってキーボード４の配置される上面よりも所定高さ（例えば、５ｍｍ〜３０ｍｍの高さである。）上方に延出される第１壁部２２が設けられている。また、この第１壁部２２の上端部から略直角内側方向に所定幅（例えば、２ｍｍ〜５ｍｍの幅である。）延出される第１上端面２３が設けられている。また、この第１上端面２３の前側端縁部から、キーボード４の上端面まで該キーボード４側に向かって下方に所定角度（例えば、１５度〜６０度の傾斜角度である。）傾斜するように延出されて、液晶ディスプレイ３が配置される第１内側壁面部２４が設けられている。これにより、液晶ディスプレイ３は、文字入力キー等が配置されるキーボード４側方向に傾斜するように形成される第１内側壁面部２４に配置されているため、印字データなどを入力する場合に、液晶ディスプレイ３に表示される文字、記号等を容易に視認でき、作業性の向上を図ることができる。
【００１９】
また、本体フレーム２の各側面部には、上記第１壁部２２の左右側端縁部から該各側面部の前後方向（図２中、上下方向）全幅に渡って上端部が前側方向（図２中、下側方向）にいくに従って低くなるように、キーボード４の配置される上面よりも所定高さ（例えば、背面側が５ｍｍ〜３０ｍｍで、前端部が３ｍｍ〜１０ｍｍの高さである。）上方に延出される各第２壁部２６が設けられている。また、各第２壁部２６の前端縁部（図２中、下端縁部）の高さは、キーボード４に配置される各キーの高さよりも高くなるように形成されている。また、この各第２壁部２６の上端部から略直角内側方向に所定幅（例えば、２ｍｍ〜５ｍｍの幅である。）延出される各第２上端面２７が設けられている。また、この各第２上端面２７の内側側端縁部から、キーボード４の上端面まで該キーボード４側に向かって下方に所定角度（例えば、１５度〜７０度の傾斜角度である。）傾斜するように延出される各第２内側壁面部２８が設けられている。これにより、各第２壁部２６及び各第２上端面２７は、上端部が前側方向（図２中、下側方向）に行くに従って低くなるように上方に延出されているため、各第２壁部２６の手元側の高さは低くなり、印字データ等の入力時の作業性の低下を防止できる。
【００２０】
また、本体フレーム２の前面部には、左右方向（図３中、左右方向）全幅に渡ってキーボード４の配置される上面よりも各第２壁部２６の前端縁部（図２中、下端縁部）と同じ高さ（例えば、２ｍｍ〜５ｍｍの高さである。）まで上方に延出される第３壁部３０が設けられている。また、この第３壁部３０の上端部から略直角内側方向に所定幅（例えば、１ｍｍ〜５ｍｍの幅である。）延出される第３上端面３１が設けられている。また、この第３上端面３１の内側側端縁部から、キーボード４の上端面まで該キーボード４側に向かって下方に所定角度（例えば、１５度〜６０度の傾斜角度である。）傾斜するように延出される第３内側壁面部３２が設けられている。これにより、テープ印字装置１を机等の設置面上に置いて、キーボード４の文字入力キー等の操作を行う場合に、この第３上端面３２及び第３壁部３２に手元を載せることができ、操作性の向上を図ることができる。
【００２１】
また、テープ印字装置１のテープカセット７及び電池１１の装着・交換や取り扱いについて図６乃至図８に基づいて説明する。
図６及び図７に示すように、本体フレーム２の第１上端面２３、各第２上端面２７及び第３上端面３１によって構成される該本体フレーム２の上端部は、同一平面で連なるように形成されている。これにより、本体フレーム２をキーボード４が配置される面が下側向きになるように上下逆さまにして机やゴムマット等の設置面上に置いた場合には、各上端面２３、２７、３１が机やゴムマット等の設置面に当接し、キーボード４及び液晶ディスプレイ３と机等との間には空間部が形成され、電源をＯＮにした状態でも、液晶ディスプレイ３やキーボード４に配置される各キーが押下されるのを確実に防止することができると共に、この液晶ディスプレイ３が設置面と接触しないため、液晶ディスプレイ３が設置面に接触して傷つくことを防止することができる。また、第３壁部３０、第３上端面３１及び第３内側壁面部３２が設けられているため、文字入力キー５等の操作時にこの第３壁部３０、第３上端面３１及び第３内側壁面部３２に手元を載せることができ、操作性の向上を図ることができる。また、この第３壁部３０、第３上端面３１及び第３内側壁面部３２を設けることによって、該第３内側壁面部３２の基端部近傍まで文字入力キー５等を配置しても、本体フレーム２を上下逆さまにして机やゴムマット等の設置面に置いた際に、この文字入力キー５等が押下されるのを確実に防止でき、テープ印字装置１の薄型化・小型化を図ることができる。
また、本体フレーム２を上下逆さまにして机等の設置面上に置いた場合には、底面部２Ａが机やゴムマット等の設置面に対して所定角度傾斜して載置される。そして、この状態でカセット収納カバー９を外して、カセット収納部８に装着されているテープカセットを交換することができる。また、この状態で電池収納カバー１３を外して、電池収納部１２に装着されている各電池１１を交換することができる。これにより、カセット収納カバー９及び電池収納カバー１３の取り付け・取り外しを安定して行え、また、テープカセット７及び各電池１１の交換・装着を容易に行うことができ、作業性の向上を図ることができる。
【００２２】
更に、図８に示すように、各第２内側壁面部２８は、文字入力キー等が配置されるキーボード４側に向かって下方に傾斜するように形成されているため、テープ印字装置１を手３５で持って持ち上げる場合には、この第２内側壁面部２８及び第２上端面部２７と本体フレーム２の底面部２Ａとに指を掛けて容易に持ち上げることができ、操作性の向上を図ることができる。また、第３内側壁面部３２は、文字入力キー５等が配置されるキーボード４側に向かって下方に傾斜するように形成されているため、テープ印字装置１を手３５で持って持ち上げる場合には、この第３内側壁面部３２及び第３上端面部３１と本体フレーム２の底面部２Ａとに指を掛けて容易に持ち上げることができ、更なる操作性の向上を図ることができる。また、容易に持ち上げるための把持部等を特に設ける必要が無いので、テープ印字装置１の更なる薄型化・小型化を図ることができる。
【００２３】
ここで、液晶ディスプレイ３は、表示手段として機能する。また、キーボード４は、印字データ入力手段として機能する。
【００２４】
尚、本発明は上記本実施例に限定されることはなく、本発明の要旨を逸脱しない範囲内で種々の改良、変形が可能であることは勿論である。
【図面の簡単な説明】
【００２５】
【図１】本実施例に係るテープ印字装置の外観斜視図である。
【図２】本実施例に係るテープ印字装置の平面図である。
【図３】本実施例に係るテープ印字装置の正面図である。
【図４】本実施例に係るテープ印字装置の背面図である。
【図５】本実施例に係るテープ印字装置の底面図である。
【図６】図２のＸ−Ｘ矢視断面図で、カセット収納カバーを外す状態を説明する図である。
【図７】図２のＹ−Ｙ矢視断面図で、カセット収納カバーと電池カバーを外す状態を説明する図である。
【図８】本実施例に係るテープ印字装置を持ち上げた状態を説明する要部断面図である。
【符号の説明】
【００２６】
１        テープ印字装置
２        本体フレーム
２Ａ      底面部
３        液晶ディスプレイ
４        キーボード
５        文字入力キー
７        テープカセット
８        カセット収納部
９        カセット収納カバー
１１      電池
１２      電池収納部
１３      電池収納カバー
１７      感熱テープ
２２      第１壁部
２３      第１上端面
２４      第１内側壁面部
２６      第２壁部
２７      第２上端面
２８      第２内側壁面部
３０      第３壁部
３１      第３上端面
３２      第３内側壁面部
【図１】
2006088449.tif 000003
【図２】
2006088449.tif 000004
【図３】
2006088449.tif 000005
【図４】
2006088449.tif 000006
【図５】
2006088449.tif 000007
【図６】
2006088449.tif 000008
【図７】
2006088449.tif 000009
【図８】
2006088449.tif 000010